(57)【要約】【課題】戸袋部内の駆動機器を保守修理する際の作業の妨げとならないホームドア装置用パネル及びホームドア装置を提供する。【解決手段】ホームドア装置用パネル２０は、ホームドア装置１０の戸袋部１１の開口１３を閉じる。ホームドア装置用パネル２０は、戸袋部１１の外壁面となる正面２０Ａから視認可能に設けられた表示装置３１と、表示装置３１を制御する表示制御部３５とを備える。表示制御部３５は、パネル部３４の正面２０Ａとは反対側の背面２０Ｂに設けられる。【選択図】図２
2019084992.tif 000002
【特許請求の範囲】
【請求項１】
ホームドア装置の戸袋部の開口を閉じるホームドア装置用パネルであって、
前記戸袋部の外壁面となる正面から視認可能に設けられた表示装置と、
前記表示装置を制御する表示制御部と、を備え、
前記表示制御部は、前記正面とは反対側の背面に設けられる
ホームドア装置用パネル。
【請求項２】
前記表示制御部は、ホームドア装置用パネルが前記戸袋部の前記開口を閉じた状態において、前記正面から前記背面に向かう方向と直交する方向から見たとき、前記ホームドア装置のドアと重なる位置に設置されている
請求項１に記載のホームドア装置用パネル。
【請求項３】
前記表示制御部は、ホームドア装置用パネルが前記戸袋部の前記開口を閉じた状態において、前記正面から前記背面に向かう方向と直交する方向から見たとき、前記戸袋部内に設置した前記ホームドア装置のドアを駆動する駆動部を制御する駆動制御部と重なる位置に設置されている
請求項１に記載のホームドア装置用パネル。
【請求項４】
前記表示制御部は、ホームドア装置用パネルが前記戸袋部の前記開口を閉じた状態において、前記正面から前記背面に向かう方向と直交する方向から見たとき、前記戸袋部内に設置した前記ホームドア装置のドアを駆動する駆動機器と重なる位置に設置されている
請求項１に記載のホームドア装置用パネル。
【請求項５】
前記開口を開閉するために前記戸袋部に対して旋回し、前記旋回の中心となる旋回軸を備え、
前記表示制御部の重心と前記旋回軸との間の距離は、前記表示制御部に対して前記旋回軸の側とは反対側のホームドア装置用パネルの端部と前記表示制御部の重心との間の距離よりも短い
請求項１〜４のいずれか一項に記載のホームドア装置用パネル。
【請求項６】
ドアと、
前記ドアを駆動する駆動装置と、
前記駆動装置を収容した戸袋部と、
請求項１〜５のいずれか一項に記載のホームドア装置用パネルと、を備える
ホームドア装置。
【発明の詳細な説明】
【技術分野】
【０００１】
本発明は、ホームドア装置用パネル及びホームドア装置に関する。
【背景技術】
【０００２】
従来、駅等のプラットホームに設置されて、プラットホームと線路等の軌道とを区画するホームドア装置が知られている（例えば、特許文献１参照）。ホームドア装置は、プラットホームに設置された戸袋部にドアが開閉可能に支持されている。戸袋部内には、ドアを開閉駆動するための駆動部や駆動制御部が収容されている。
【０００３】
特許文献１に記載のホームドア装置では、戸袋部のホーム側の面に乗降客に向けた情報を表示する表示装置（表示部）が設けられている。表示装置は、鉄道運行、注意喚起、広告等に関する文字や画像の情報を表示する。
【先行技術文献】
【特許文献】
【０００４】
【特許文献１】特開２０１２−１１６３９１号公報
【発明の概要】
【発明が解決しようとする課題】
【０００５】
ところで、上記特許文献１に記載のホームドア装置では、戸袋部に設けられた保守修理用の開口を開閉する蓋部に表示装置が取り付けられているが、表示装置を制御する表示制御部の取付位置については記載されていない。表示制御部は、表示装置に表示される文字、画像や映像のデータを保存又は外部から受信し、当該データを用いて表示装置に表示させるための機能を備えている。表示制御部は、通常、戸袋部内に設置され、表示装置に対して有線接続されている。戸袋部内の駆動部及び駆動制御部等の駆動機器の保守修理は、戸袋部の開口の蓋部を開いた状態で実施される。表示制御部は、それら駆動機器を保守修理する際の作業の妨げとならない位置、つまり保守修理の際にそれら駆動機器の全部又は一部を覆わない位置に設置することが求められる。
【０００６】
本発明は、こうした実情に鑑みてなされたものであり、その目的は、戸袋部内の駆動機器を保守修理する際の作業の妨げとならないホームドア装置用パネル及びホームドア装置を提供することにある。
【課題を解決するための手段】
【０００７】
上記課題を解決するホームドア装置用パネルは、ホームドア装置の戸袋部の開口を閉じるホームドア装置用パネルであって、前記戸袋部の外壁面となる正面から視認可能に設けられた表示装置と、前記表示装置を制御する表示制御部と、を備え、前記表示制御部は、前記正面とは反対側の背面に設けられる。
【０００８】
上記構成によれば、ホームドア装置用パネルは、戸袋部に設けられた開口の蓋部として利用することができる。ホームドア装置用パネルは、戸袋部の開口を開く動作に合わせて、表示制御部が戸袋部内の駆動機器をその開口から見て覆わない位置に移動し、表示制御部が戸袋部内の駆動機器を保守修理する際の作業の妨げとならないようにできる。ホームドア装置用パネルの正面は、ホームドア装置の戸袋部の開口を閉じた状態において、戸袋部の外壁面となる。プラットホーム上の乗降客に向けて情報を表示装置が表示する場合、ホームドア装置用パネルの正面は、プラットホームの内側（換言すれば、軌道側とは反対側）の面となる。軌道上の車両の乗客や軌道を挟んだ別のプラットホーム上の乗降客に向けて情報を表示装置が表示する場合、ホームドア装置用パネルの正面は、軌道側の面となる。ホームドア装置用パネルの背面は、戸袋部の内側に向かう面である。表示装置は、ホームドア装置用パネルの正面から視認可能に設ければよく、例えば、ガラス等の透明部材を介して視認可能に設けてもよい。表示装置の大きさは、ホームドア装置用パネルの正面の全てを埋めるものでもよいし、部分的なものでもよい。ホームドア装置用パネルは、戸袋部の開口の全てを閉じる必要はなく、開口の一部を閉じるものでもよい。
【０００９】
上記ホームドア装置用パネルについて、前記表示制御部は、ホームドア装置用パネルが前記戸袋部の前記開口を閉じた状態において、前記正面から前記背面に向かう方向と直交する方向から見たとき、前記ホームドア装置のドアと重なる位置に設置されていることが好ましい。
【００１０】
上記構成によれば、正面から背面にむかう方向のホームドア装置の寸法を短くすることができる。
上記ホームドア装置用パネルについて、前記表示制御部は、ホームドア装置用パネルが前記戸袋部の前記開口を閉じた状態において、前記正面から前記背面に向かう方向と直交する方向から見たとき、前記戸袋部内に設置した前記ホームドア装置のドアを駆動する駆動部を制御する駆動制御部と重なる位置に設置されていることが好ましい。
【００１１】
上記構成によれば、正面から背面に向かう方向のホームドア装置の寸法を短くすることができる。
上記ホームドア装置用パネルについて、前記表示制御部は、ホームドア装置用パネルが前記戸袋部の前記開口を閉じた状態において、前記正面から前記背面に向かう方向と直交する方向から見たとき、前記戸袋部内に設置した前記ホームドア装置のドアを駆動する駆動機器と重なる位置に設置されていることが好ましい。
【００１２】
上記構成によれば、正面から背面に向かう方向のホームドア装置の寸法を短くすることができる。
上記ホームドア装置用パネルについて、前記開口を開閉するために前記戸袋部に対して旋回し、前記旋回の中心となる旋回軸を備え、前記表示制御部の重心と前記旋回軸との間の距離は、前記表示制御部に対して前記旋回軸の側とは反対側のホームドア装置用パネルの端部と前記表示制御部の重心との間の距離よりも短いことが好ましい。
【００１３】
ホームドア装置用パネルの旋回軸には表示制御部の荷重によってモーメントが作用するが、上記構成によれば、表示制御部が旋回軸寄りに設けられているため、このモーメントを小さくすることができる。ホームドア装置用パネルの旋回の方向は制限されない。水平方向でもよいし、鉛直方向でもよい。また、水平方向と鉛直方向との間の斜め方向でもよい。旋回軸は、単一の軸部材で形成される軸の他、リンク機構等で空間上に形成される軸でもよい。例えば、旋回軸が鉛直方向に延びる場合、表示制御部の荷重によるモーメントは、旋回軸を傾倒させる方向に作用する。したがって、このモーメントを小さくすれば、旋回軸の支持構造を小型化できる。旋回軸が水平方向に延びる場合、表示制御部の荷重によるモーメントは、この旋回軸を中心にした旋回方向と同じ方向に作用する。したがって、このモーメントを小さくすれば、ホームドア装置用パネルを旋回させて開口を開閉するための力の低減やこの旋回に対する抵抗付与または停止保持のための機構を小型化できる。
【００１４】
上記課題を解決するホームドア装置は、ドアと、前記ドアを駆動する駆動部と、前記駆動部を収容した戸袋部と、上記ホームドア装置用パネルと、を備えることが好ましい。
上記構成によれば、ホームドア装置用パネルを開いた状態で表示制御部が戸袋部内の駆動部等の駆動機器を保守修理する際の作業の妨げとならないようにできる。
【発明の効果】
【００１５】
本発明によれば、戸袋部内の駆動機器を保守修理する際の作業の妨げとならないようにすることができる。
【図面の簡単な説明】
【００１６】
【図１】ホームドア装置の第１の実施形態の構成を示す斜視図。
【図２】同実施形態のホームドア装置用パネルを開いた状態を示す平面図。
【図３】同実施形態のホームドア装置のドアが閉じた状態における部材の配置を示す平面図。
【図４】同実施形態のホームドア装置のドアが開いた状態における部材の配置を示す平面図。
【図５】同実施形態のホームドア装置の部材の配置を示す右側面図。
【図６】同実施形態のホームドア装置の部材の配置を示す正面図。
【図７】同実施形態のホームドア装置用パネルの構成を示す断面模式図。
【図８】同実施形態のホームドア装置の電気的構成を示すブロック図。
【図９】ホームドア装置の第２の実施形態のドアが閉じた状態における部材の配置を示す平面図。
【図１０】同実施形態のホームドア装置のドアが開いた状態における部材の配置を示す平面図。
【図１１】同実施形態のホームドア装置の部材の配置を示す右側面図。
【図１２】同実施形態のホームドア装置の部材の配置を示す正面図。
【図１３】ホームドア装置の第３の実施形態のドアが閉じた状態における部材の配置を示す平面図。
【図１４】同実施形態のホームドア装置のドアが開いた状態における部材の配置を示す平面図。
【図１５】同実施形態のホームドア装置の部材の配置を示す右側面図。
【図１６】同実施形態のホームドア装置の部材の配置を示す正面図。
【図１７】ホームドア装置の変形例を示す右側面図。
【図１８】ホームドア装置の変形例を示す正面図。
【図１９】ホームドア装置の変形例を示す正面図。
【図２０】ホームドア装置の変形例を示す平面図。
【発明を実施するための形態】
【００１７】
（第１の実施形態）
以下、図１〜図８を参照して、ホームドア装置用パネルを備えるホームドア装置の第１の実施形態について説明する。このホームドア装置は、鉄道等のプラットホームに設置される。
【００１８】
＜ホームドア装置１０＞
図１に示すように、ホームドア装置１０は、略矩形状のケース１２を有する戸袋部１１を備えている。戸袋部１１は、プラットホーム１に固定されている。戸袋部１１は、戸袋部１１から図中左側へ進出する第１ドア１５を開閉可能に支持しているとともに、第１ドア１５を駆動する第１駆動部（図示略）が収納されている。また、戸袋部１１は、戸袋部１１から図中右側へ進出する第２ドア１６を開閉可能に支持しているとともに、第２ドア１６を駆動する第２駆動部（図示略）が収納されている。第１ドア１５及び第２ドア１６は、それぞれ一枚の引戸となっており、戸袋部１１内において引違い構造となっている。第１ドア１５が戸袋部１１内においてプラットホーム１の内側に位置し、第２ドア１６が戸袋部１１内において軌道２側に位置する（図４参照）。
【００１９】
ホームドア装置１０は、プラットホーム１の軌道２側の縁部に沿って設置される。ホームドア装置１０は、プラットホーム１を軌道２側とプラットホーム１の内側とに区画する。なお、図示しないが、ホームドア装置１０は、プラットホーム１の長手方向に間隔をおいて複数並べて設置され、隣同士のホームドア装置１０の第１ドア１５と第２ドア１６とによって乗降通路が開閉される。プラットホーム１の長手方向は、軌道２に沿う方向である。
【００２０】
＜ホームドア装置用パネル２０＞
図１に示すように、ホームドア装置１０は、戸袋部１１のプラットホーム１の内側の外壁を構成するホームドア装置用パネル２０を備えている。戸袋部１１のケース１２のプラットホーム１の内側の面には、戸袋部１１内の駆動機器を保守修理するための開口１３が全面に亘って設けられている。なお、開口１３は、戸袋部１１のケース１２の全面でなく、一部であってもよい。ホームドア装置用パネル２０は、ホームドア装置１０の戸袋部１１の開口１３を開閉する蓋部として機能する。
【００２１】
図２〜４に示すように、ホームドア装置用パネル２０は、戸袋部１１の開口１３を開閉するパネル部３４を備えている。パネル部３４は、表示装置３１を収容している。ホームドア装置用パネル２０は、表示装置３１を制御する表示制御部３５を備えている。表示制御部３５は、表示装置３１に表示される画像や映像のデータを保存又は外部から受信し、当該データを用いて表示装置３１に画像や映像を表示させる。表示装置３１に表示される情報は、画像や映像に限られず、注意喚起や車両運行情報等の文字情報でもよい。表示制御部３５は、当該データの受信部、保存部、制御回路基板、表示装置３１と接続する信号線、及び各機器を収納する筐体３５Ａを含む。筐体３５Ａは、パネル部３４のプラットホーム１の内側の正面２０Ａと反対側の背面２０Ｂに固定されている。筐体３５Ａは、鉛直方向が長手方向である直方体である（図６参照）。ホームドア装置用パネル２０の正面２０Ａは、戸袋部１１の開口１３を閉じた状態において、戸袋部１１の外壁面となる。ホームドア装置用パネル２０の正面２０Ａはプラットホーム１の内側の面であり、ホームドア装置用パネル２０はプラットホーム１上の乗降客に向けて情報を表示装置３１が表示する。ホームドア装置用パネル２０の背面２０Ｂは、戸袋部１１の内側に向かう面である。
【００２２】
パネル部３４の２つの鉛直方向に延びる端部のうち、パネル部３４を開いた状態において、開口１３に近い側の端部を基端部３４Ａとし、開口１３から遠い側の端部を先端部３４Ｂとする。表示制御部３５は、パネル部３４の基端部３４Ａ寄りに設けられている。
【００２３】
図３〜図５に示すように、表示制御部３５の筐体３５Ａは、戸袋部１１のケース１２内にパネル部３４から突出している。筐体３５Ａは、ホームドア装置１０の正面２０Ａから背面２０Ｂに向かう方向と直交する方向であるプラットホーム１の長手方向、言い換えれば戸袋部１１の右側面から見たとき、第１ドア１５と重なる位置に設置されている。筐体３５Ａは、ホームドア装置１０の正面２０Ａから背面２０Ｂに向かう方向である戸袋部１１の厚み方向において、第２ドア１６とパネル部３４との間に位置している。
【００２４】
図６に示すように、表示制御部３５は、第１ドア１５が開いた状態において、第１ドア１５と戸袋部１１のケース１２の右内壁１２Ａとの間にできる空間に設置されている。筐体３５Ａは、プラットホーム１の長手方向において、第１ドア１５と戸袋部１１のケース１２の右内壁１２Ａとの間に位置している。
【００２５】
＜ホームドア装置用パネル２０のパネル部３４＞
図７に示すように、ホームドア装置用パネル２０のパネル部３４は、透過部２１Ａを有する第１板材２１と、第１板材２１と対向して配置される第２板材２２と、第１板材２１と第２板材２２との間に設けられる中間板２３とを備えている。
【００２６】
第１板材２１は、ケース１２の開口１３の大きさとほぼ同じ大きさの板である。第１板材２１は、第１板材２１を介してホームドア装置用パネル２０の内部を外部から視認可能な例えばガラス製のガラス板や透明樹脂製の樹脂板等である。第１板材２１の一部が透過部２１Ａとなっている。透過部２１Ａは、透明であり、外部から内部を視認することができる部分である。透過部２１Ａは、第１板材２１の上方寄りに位置している。第１板材２１の透過部２１Ａ以外の部分は、内側又は外側の面に塗装が施されている。なお、第１板材２１の全部が透過部２１Ａであってもよい。
【００２７】
第２板材２２もケース１２の開口１３の大きさとほぼ同じ大きさの板である。第２板材２２の縁部２２Ａは、第１板材２１側へ折り曲げられている。第２板材２２は、鋼板やアルミニウム板等の金属板である。
【００２８】
中間板２３は、第１板材２１の各辺に対応して設けられ、４本の棒状の板材である。中間板２３は、ねじ２８によって第２板材２２に締結されている。ねじ２８は、第２板材２２の外側から中間板２３に螺着している。中間板２３は、空間形成部に相当する。ねじ２８は、締結部材に相当する。
【００２９】
中間板２３と第１板材２１とは、接着材２５によって接着されている。なお、中間板２３は、まず、接着材２５によって第１板材２１に接着された後、ねじ２８によって第２板材２２に固定されることで、第１板材２１が第２板材２２に固定される。
【００３０】
パネル部３４は、第１板材２１と第２板材２２と中間板２３との間に表示装置３１を収容する収納空間２４を有する。表示装置３１は、液晶ディスプレイ、プラズマディスプレイ、有機ＥＬディスプレイ、電子ペーパーなどを用いることができる。この表示装置３１に表示される情報は、ドア１５，１６の状態に応じて切り替わる情報であってもよく、ドア１５，１６の状態によらず切り替わる情報であってもよい。この情報は、広告や注意喚起のための画像である。
【００３１】
表示装置３１は、ねじ２８によって第２板材２２に固定されている。ねじ２８は、収納空間２４側から第２板材２２に螺着している。すなわち、表示装置３１は、第１板材２１に固定された上で組み立てられる。なお、ねじ２８を第２板材２２から挿入して表示装置３１に螺着してもよい。
【００３２】
パネル部３４は、収納空間２４を囲むようにシール材２６が設置されている。シール材２６は弾性を有する樹脂等である。シール材２６は、第１板材２１と第２板材２２とに密着することで収納空間２４を密閉している。よって、収納空間２４に水等の液体が浸入することを抑制することができる。
【００３３】
パネル部３４は、第１板材２１の側面２１Ｂと第２板材２２の縁部２２Ａとを覆う化粧カバー２７を備えている。化粧カバー２７は、断面コ字状の部材であって、第２板材２２の辺毎に設けられている。パネル部３４の左端部は、第２板材２２の縁部２２Ａに化粧カバー２７の底面が当接し、ねじ２８とナット２９によって第２板材２２と締結されている。ねじ２８は、化粧カバー２７の外側から化粧カバー２７と第２板材２２に挿入され、ナット２９に螺着している。パネル部３４の右端部は、第２板材２２の縁部２２Ａが第１板材２１側に折り曲げられた上で、コ字状に折り曲げられている。そして、パネル部３４の右端部の化粧カバー２７Ａは、第２板材２２の縁部２２Ａに沿ってＬ字状に形成され、ねじ２８とナット２９によって第２板材２２と締結されている。
【００３４】
＜取付部材４０＞
図２及び図７に示すように、パネル部３４は、ホームドア装置１０の戸袋部１１に取り付ける取付部材４０を備えている。パネル部３４は、ホームドア装置１０の戸袋部１１に対して取付部材４０によって旋回可能に取り付けられている。取付部材４０は、パネル部３４の右端の上下それぞれに設けられた旋回軸４１である。旋回軸４１は、鉛直方向に延出する。パネル部３４は、旋回軸４１を中心にプラットホーム１の内側へ旋回することで開口１３を開く。表示制御部３５の重心Ｃと旋回軸４１との間の距離Ｄ１は、表示制御部３５に対して旋回軸４１の側とは反対側のパネル部３４の先端部３４Ｂと表示制御部３５の重心Ｃとの間の距離Ｄ２よりも短く（Ｄ１＜Ｄ２）設定されている。
【００３５】
＜電気的構成＞
次に、図８を参照して、ホームドア装置１０の電気的な構成について説明する。
ホームドア装置１０は、外部に設けられる中央制御部７０によって制御されている。中央制御部７０は、表示装置３１に表示させる情報をホームドア装置１０の表示制御部３５に出力する。表示制御部３５は、中央制御部７０から入力された情報を表示装置３１に表示させる。また、中央制御部７０は、ホームドア装置１０の駆動制御部６３にドア１５，１６の開又は閉を指示する指示信号を出力する。駆動制御部６３は、中央制御部７０から入力された指示信号に基づいて第１駆動部６１と第２駆動部６２とを駆動させる。駆動制御部６３は、中央制御部７０からの指示信号をトリガとして、図示しない各種センサによってドア１５，１６を移動させて良いか否かを判断した上で第１駆動部６１と第２駆動部６２とを駆動させる。図８では、駆動制御部６３と第１駆動部６１と第２駆動部６２とをまとめて駆動装置６０としている。なお、同一のプラットホーム１に複数のホームドア装置１０が設置されている場合には、中央制御部７０が全てのホームドア装置１０を一括制御する。
【００３６】
＜作用＞
次に、ホームドア装置１０における保守修理作業について説明する。
図１に示すように、保守修理時以外の通常時には、戸袋部１１の開口１３は、ホームドア装置用パネル２０により閉じられている。この状態では、表示装置３１の筐体３５Ａは戸袋部１１内に位置している。
【００３７】
図２に示すように、戸袋部１１内の駆動機器の保守修理を行う際には、まずロック機構のロック状態を解除して、ホームドア装置用パネル２０を旋回軸４１によって戸袋部１１の開口１３に対して揺動させ、戸袋部１１の開口１３を開く。開口１３において駆動機器を露出させて、駆動機器の保守修理を行うことができる。このように、開口１３からホームドア装置用パネル２０が揺動することでホームドア装置用パネル２０とともに表示制御部３５が収容された筐体３５Ａが開口１３から離間する。そして、戸袋部１１内の駆動機器の保守修理が終わったら、ホームドア装置用パネル２０によって開口１３を閉じて、ロック機構をロック状態に変更する。
【００３８】
したがって、通常時には表示制御部３５が戸袋部１１内に位置しつつ、保守修理作業において表示制御部３５が邪魔になることはなく、戸袋部１１内の駆動機器を保守修理する際の作業の妨げとならない。そして、戸袋部１１内の駆動機器の保守修理作業を円滑に実行することができる。なお、開口１３は、保守修理の時の他、戸袋部１１内の収納物を出し入れする際に開閉されることもある。
【００３９】
以上説明したように、本実施形態によれば、以下の効果を奏することができる。
（１）ホームドア装置用パネル２０は、戸袋部１１に設けられた開口１３の蓋部として利用することができる。ホームドア装置用パネル２０の正面２０Ａは、ホームドア装置１０の戸袋部１１の開口１３を閉じた状態において、戸袋部１１の外壁面となる。筐体３５Ａは、パネル部３４の開口１３側の面である背面２０Ｂに設けられる。このため、ホームドア装置用パネル２０は、戸袋部１１の開口１３を開く動作に合わせて、表示制御部３５が戸袋部１１内の駆動機器をその開口１３から見て覆わない位置に移動し、表示制御部３５が戸袋部１１内の駆動機器を保守修理する際の作業の妨げとならないようにできる。
【００４０】
（２）ホームドア装置１０の正面２０Ａから背面２０Ｂに向かう方向と直交する方向であるプラットホーム１の長手方向から見たとき、表示制御部３５は、第１ドア１５と重なる位置に設置されている。このため、プラットホーム１の長手方向に対して直交する方向のホームドア装置１０の寸法を短くすることができる。
【００４１】
（３）表示制御部３５が旋回軸４１寄りに設けられているため、表示制御部３５の荷重によって作用するモーメントを小さくすることができる。
（第２の実施形態）
以下、図９〜図１２を参照して、ホームドア装置用パネルを備えるホームドア装置の第２の実施形態について説明する。この実施形態のホームドア装置用パネル２０は、表示制御部３５と戸袋部１１に設置される駆動制御部との位置関係が上記第１の実施形態と異なっている。以下、第１の実施形態との相違点を中心に説明する。
【００４２】
図９及び図１０に示すように、戸袋部１１には、駆動部６１，６２を制御する駆動制御部６３が収容されている。表示制御部３５と駆動制御部６３との一部は、戸袋部１１の厚み方向において同じ位置に位置している。筐体３５Ａは、戸袋部１１の厚み方向において、第２ドア１６とホームドア装置用パネル２０との間に位置している。
【００４３】
図１１に示すように、表示制御部３５は、ホームドア装置１０の正面２０Ａから背面２０Ｂに向かう方向と直交する方向であるプラットホーム１の長手方向、言い換えれば戸袋部１１の右側面から見たとき、駆動制御部６３と重なる位置に設置されている。
【００４４】
図１２に示すように、表示制御部３５は、駆動制御部６３と戸袋部１１のケース１２の右内壁１２Ａとの間にできる空間に設置されている。表示制御部３５は、プラットホーム１の長手方向において、第１ドア１５と戸袋部１１のケース１２の右内壁１２Ａとの間に位置している。
【００４５】
上記のホームドア装置用パネル２０であれば、通常時には表示制御部３５が戸袋部１１内に位置しつつ、保守修理等の作業において表示制御部３５が邪魔になることはなく、戸袋部１１内の駆動機器を保守修理する際の作業の妨げとならない。
【００４６】
以上説明したように、本実施形態によれば、第１の実施形態の（１）及び（３）の効果に加え、以下の効果を奏することができる。
（２）ホームドア装置１０の正面２０Ａから背面２０Ｂに向かう方向と直交する方向であるプラットホーム１の長手方向から見たとき、表示制御部３５は、駆動制御部６３と重なる位置に設置されている。このため、プラットホーム１の長手方向から見たときのホームドア装置１０の寸法を短くすることができる。
【００４７】
（第３の実施形態）
以下、図１３〜図１６を参照して、ホームドア装置用パネルを備えるホームドア装置の第３の実施形態について説明する。この実施形態のホームドア装置用パネルは、表示制御部３５と戸袋部１１に設置される駆動部との位置関係が上記第１の実施形態と異なっている。以下、第１の実施形態との相違点を中心に説明する。
【００４８】
図１３及び図１４に示すように、戸袋部１１には、第１駆動部６１が収容されている。第２駆動部６２は図示を省略している。表示制御部３５は、ホームドア装置１０の正面２０Ａから背面２０Ｂに向かう方向と直交する方向である鉛直方向から見たとき、第１駆動部６１と重なる位置に設置されている。表示制御部３５は、ホームドア装置１０の正面２０Ａから背面２０Ｂに向かう方向である戸袋部１１の厚み方向において、第１ドア１５及び第２ドア１６とホームドア装置用パネル２０との間に位置している。なお、第１駆動部６１はドア１５を駆動する駆動機器に相当する。
【００４９】
図１５に示すように、表示制御部３５と駆動制御部６３との一部は、ホームドア装置１０の正面２０Ａから背面２０Ｂに向かう方向と直交する方向であるプラットホーム１の長手方向において同じ位置に位置している。
【００５０】
図１６に示すように、表示制御部３５は、第１駆動部６１と戸袋部１１のケース１２の底面との間にできる空間に設置されている。駆動制御部６３も、第１駆動部６１と戸袋部１１のケース１２の底面との間にできる空間に設置されている。
【００５１】
上記のホームドア装置用パネル２０であれば、通常時には表示制御部３５が戸袋部１１内に位置しつつ、保守修理作業において表示制御部３５が邪魔になることはなく、戸袋部１１内の駆動機器を保守修理する際の作業の妨げとならない。
【００５２】
以上説明したように、本実施形態によれば、第２の実施形態の（１）〜（３）の効果に加え、以下の効果を奏することができる。
（４）ホームドア装置１０の正面２０Ａから背面２０Ｂに向かう方向と直交する方向である鉛直方向から見たとき、表示制御部３５は第１駆動部６１と重なる位置に設置されている。このため、ホームドア装置１０の正面２０Ａから背面２０Ｂに向かう方向と直交する方向であるプラットホーム１の長手方向から見たときのホームドア装置１０の寸法を短くすることができる。
【００５３】
なお、上記各実施形態は、これを適宜変更した以下の形態にて実施することもできる。
・上記各実施形態では、表示制御部３５をパネル部３４の背面２０Ｂの旋回軸４１が取り付けられた基端部３４Ａ側に設置したが、表示制御部３５をパネル部３４の先端部３４Ｂ側に設置してもよい。また、左側の第１ドア１５を軌道２側に位置させ、右側の第２ドア１６をプラットホーム１の内側に位置させることで、戸袋部１１のケース１２の左側の開口１３寄りに第２駆動部６２が位置することになる。このような場合には、表示制御部３５をパネル部３４の先端部３４Ｂ側に設置することが好ましい。なお、表示制御部３５を背面２０Ｂの右側寄りに設置する場合には、旋回軸４１をホームドア装置用パネル２０の左側の端部に設けることで、表示制御部３５を基端部３４Ａ寄りに設置することができる。
【００５４】
・上記各実施形態では、表示制御部３５（筐体３５Ａ）を鉛直方向が長手方向である直方体としたが、水平方向が長手方向である直方体としてもよい。例えば、ドア１５，１６を駆動する駆動ベルト等の駆動機構は、プラットホーム１の長手方向である水平方向に設置される。このため、駆動機構が開口１３寄りに設置される場合には、駆動機構を避けて、水平方向が長手方向となるように表示制御部３５（筐体３５Ａ）を設置してもよい。なお、駆動機構は、ドアを駆動する駆動機器に相当する。
【００５５】
・また、水平方向が長手方向となる表示制御部３５（筐体３５Ａ）は、駆動機構の位置に対応させて、駆動機構を避けるように、鉛直方向において位置を変更して設置してもよい。
【００５６】
・また、表示制御部３５（筐体３５Ａ）の形状は、鉛直方向の長さと水平方向の長さとが略同じ長さの直方体であってもよい。そして、筐体３５Ａの設置位置は、ドアや駆動機器の位置に合わせて変更させてもよい。
【００５７】
・上記第１の実施形態では、ホームドア装置１０の正面２０Ａから背面２０Ｂに向かう方向と直交する方向であるプラットホーム１の長手方向から見たとき、表示制御部３５（筐体３５Ａ）を第１ドア１５と重なる位置に設置した。しかしながら、ホームドア装置１０の正面２０Ａから背面２０Ｂに向かう方向と直交する方向である鉛直方向から見たとき、表示制御部３５（筐体３５Ａ）を第１ドア１５と重なる位置に設置してもよい。なお、第１ドア１５の一部に表示制御部３５（筐体３５Ａ）を避ける部分を設ける。
【００５８】
・上記各実施形態では、表示制御部３５（筐体３５Ａ）を第１ドア１５と重なる位置としたが、表示制御部３５（筐体３５Ａ）を第２ドアと重なる位置としてもよい。
・上記第２の実施形態では、ホームドア装置１０の正面２０Ａから背面２０Ｂに向かう方向と直交する方向であるプラットホーム１の長手方向及びから見たとき、表示制御部３５（筐体３５Ａ）を駆動制御部６３と重なる位置に設置した。しかしながら、ホームドア装置１０の正面２０Ａから背面２０Ｂに向かう方向と直交する方向である鉛直方向から見たとき、表示制御部３５（筐体３５Ａ）を駆動制御部６３と重なる位置に設置してもよい。
【００５９】
・上記第３の実施形態では、ホームドア装置１０の正面２０Ａから背面２０Ｂに向かう方向と直交する方向である鉛直方向から見たとき、表示制御部３５（筐体３５Ａ）を第１駆動部６１と重なる位置に設置した。しかしながら、ホームドア装置１０の正面２０Ａから背面２０Ｂに向かう方向と直交する方向であるプラットホーム１の長手方向から見たとき、表示制御部３５（筐体３５Ａ）を第１駆動部６１と重なる位置に設置してもよい。
【００６０】
・上記各実施形態では、表示制御部３５（筐体３５Ａ）を第１駆動部６１と重なる位置としたが、表示制御部３５（筐体３５Ａ）を第２駆動部６２と重なる位置としてもよい。
・上記各実施形態では、水平方向に旋回する旋回軸４１を中心にホームドア装置用パネル２０が揺動して開口１３を開閉するようにした。しかしながら、ホームドア装置用パネル２０の旋回方向が水平方向に限らず、ホームドア装置用パネル２０の旋回方向が垂直方向にしてもよく、水平方向と鉛直方向との間の斜め方向でもよい。例えば、図１７に示すように、プラットホーム１の長手方向に延出する旋回軸４２をホームドア装置用パネル２０の上端部に備えている。この旋回軸４２は、戸袋部１１の上端部に固定されている。よって、ホームドア装置用パネル２０は、旋回軸４２を中心に戸袋部１１に対して揺動する。また、ホームドア装置用パネル２０は、ホームドア装置用パネル２０と戸袋部１１とに接続されるダンパー４３を備えている。ダンパー４３は、ホームドア装置用パネル２０を戸袋部１１の開口１３から開いた状態に維持することができる。旋回軸４２は、単一の軸部材で形成される軸の他、リンク機構等で空間上に形成される軸でもよい。
【００６１】
・また、図１８に示す例では、ホームドア装置用パネル２０は戸袋部１１に対して鉛直方向に移動可能な図示しないスライド機構を備える。ホームドア装置用パネル２０は、戸袋部１１の開口１３を覆う位置と覆わない位置との間で移動して、開口１３を開閉する。
【００６２】
・また、図１９に示す例では、ホームドア装置用パネル２０は戸袋部１１に対して水平方向に移動可能な図示しないスライド機構を備える。ホームドア装置用パネル２０は、戸袋部１１の開口１３を覆う位置と覆わない位置との間で移動して、開口１３を開閉する。
【００６３】
・また、図２０に示す例では、ホームドア装置用パネル２０は２分割されて、左側のパネルの左端の上下それぞれに旋回軸４５Ａが設けられ、右側のパネルの右端の上下それぞれに旋回軸４５Ｂが設けられている。右側のパネルは旋回軸４５Ａを中心に揺動し左側のパネルは旋回軸４５Ｂを中心に揺動して、開口１３を開閉する。
【００６４】
・また、ホームドア装置用パネル２０は、開口１３を開くときには、ケース１２から取り外すようにしてもよい。
・上記実施形態では、ホームドア装置用パネル２０をホームドア装置１０のプラットホーム１の内側の外壁面に設けたが、ホームドア装置用パネル２０をホームドア装置１０の軌道２側の外壁面に設けてもよい。すなわち、軌道２上の車両の乗客や軌道２を挟んだ別のプラットホーム１上の乗降客に向けて情報を表示装置３１が表示する場合、ホームドア装置用パネル２０の正面２０Ａは軌道２側の外壁面となる。なお、ホームドア装置用パネル２０は、ホームドア装置１０のプラットホーム１の内側の外壁面と軌道２側の外壁面との両方に設けてもよいし、ホームドア装置１０の軌道２側の外壁面のみに設けてもよい。
【００６５】
・上記各実施形態では、各ドアを一枚の引き違い引戸のホームドア装置１０としたが、各ドアを二重の引き違い引戸や三重以上の引き違い引戸のホームドア装置としてもよい。
・上記実施形態では、各ドアを異なるレール上を移動する引き違い引戸のホームドア装置１０としたが、各ドアを同じレール上を移動する引戸のホームドア装置としてもよい。
【００６６】
・上記各実施形態では、ドアを引戸としたが、折れ戸や鉛直方向に開閉する戸等の他の戸にしてもよい。
・上記各実施形態では、ドアを２個備えたホームドア装置としたが、ドアを１個のみ備えたホームドア装置としてもよい。
【符号の説明】
【００６７】
１…プラットホーム、２…軌道、１０…ホームドア装置、１１…戸袋部、１２…ケース、１２Ａ…右内壁、１３…開口、１５…第１ドア、１６…第２ドア、２０…ホームドア装置用パネル、２０Ａ…正面、２０Ｂ…背面、２１…第１板材、２１Ａ…透過部、２１Ｂ…側面、２２…第２板材、２２Ａ…縁部、２３…中間板、２４…収納空間、２５…接着材、２６…シール材、２７，２７Ａ…化粧カバー、２８…ねじ、２９…ナット、３１…表示装置、３４…パネル部、３４Ａ…基端部、３４Ｂ…先端部、３５…表示制御部、３５Ａ…筐体、４０…取付部材、４１…旋回軸、６０…駆動装置、６１…第１駆動部、６２…第２駆動部、６３…駆動制御部、６４…駆動機構、７０…中央制御部。
【図１】
2019084992.tif 000003
【図２】
2019084992.tif 000004
【図３】
2019084992.tif 000005
【図４】
2019084992.tif 000006
【図５】
2019084992.tif 000007
【図６】
2019084992.tif 000008
【図７】
2019084992.tif 000009
【図８】
2019084992.tif 000010
【図９】
2019084992.tif 000011
【図１０】
2019084992.tif 000012
【図１１】
2019084992.tif 000013
【図１２】
2019084992.tif 000014
【図１３】
2019084992.tif 000015
【図１４】
2019084992.tif 000016
【図１５】
2019084992.tif 000017
【図１６】
2019084992.tif 000018
【図１７】
2019084992.tif 000019
【図１８】
2019084992.tif 000020
【図１９】
2019084992.tif 000021
【図２０】
2019084992.tif 000022